(57)【要約】【課題】  ＴＣＰ／ＩＰネットワークと非ＴＣＰ／ＩＰネットワークとがＧＷ（ゲートウェイ）ノードで接続された構成において、ＴＣＰ／ＩＰネットワークに置かれた管理装置からＧＷノードを介してＳＮＭＰを用いて非ＴＣＰ／ＩＰネットワーク内のノードの管理を行う際に、ＧＷノードへの負荷の集中を防ぐ。【解決手段】  ＧＷノード２が、非ＴＣＰ／ＩＰネットワークであるリング型ネットワークに含まれる複数のノード３について、ノードごとにＳＮＭＰのＯＩＤと管理要求の処理方式をノードアドレステーブルとして保持し、管理装置１より管理要求が送信された場合に、管理要求に含まれたＯＩＤとノードアドレステーブルとを比較し、管理要求の対象であるノードとそのノードの処理方式とを特定し、特定したノードに対して特定した処理方式に従って管理要求を送信し、当該ノードから管理要求に対する応答を受信し、受信した応答を管理装置１に送信する。【選択図】        図１
2007006291.tif 000002
【特許請求の範囲】
【請求項１】
第１のネットワーク内に配置されＳＮＭＰ（Ｓｉｍｐｌｅ  Ｎｅｔｗｏｒｋ  Ｍａｎａｇｅｍｅｎｔ  Ｐｒｏｔｏｃｏｌ）プロトコルによるネットワーク管理を行う管理装置と、第２のネットワーク内に配置され前記管理装置によるネットワーク管理の対象となる複数のノードとの間の通信を中継するゲートウェイ装置であって、
ノードごとに、ＳＮＭＰプロトコルのＯＩＤ（Ｏｂｊｅｃｔ  Ｉｄｅｎｔｉｆｉｅｒ）のうちそれぞれのノードに対応するＯＩＤと、それぞれのノードの処理方式とを示すＯＩＤ処理方式テーブルを管理するＯＩＤ処理方式テーブル管理部と、
前記管理装置から、いずれかのノードに対応するＯＩＤが含まれた管理要求を受信する第１ネットワーク通信部と、
管理要求に含まれたＯＩＤとＯＩＤ処理方式テーブルに示されているＯＩＤを比較して管理要求が対象としているノードを特定するとともに、当該ノードの処理方式を特定するノード処理方式特定部と、
前記ノード処理方式特定部により特定された特定ノード向けの管理要求を、前記ノード処理方式特定部により特定された処理方式に従って、特定ノードに対して送信する第２ネットワーク通信部とを有することを特徴とするゲートウェイ装置。
【請求項２】
前記ＯＩＤ処理方式テーブル管理部は、
対応するＯＩＤが複数あるノードが存在する場合に、当該ノードについてＯＩＤごとの処理方式を示すＯＩＤ処理方式テーブルを管理し、
前記ノード処理方式特定部は、
管理要求に含まれたＯＩＤとＯＩＤ処理方式テーブルに示されているＯＩＤを比較して管理要求が対象としているノードを特定するとともに、特定したノードについてＯＩＤ処理方式テーブルにＯＩＤごとの処理方式が示されている場合に、管理要求に含まれたＯＩＤに対応する処理方式を特定することを特徴とする請求項１に記載のゲートウェイ装置。
【請求項３】
前記ゲートウェイ装置は、更に、
各ノードの処理方式の情報を収集するノード情報収集部を有し、
前記ＯＩＤ処理方式テーブル管理部は、
前記ノード情報収集部により収集された情報に基づいて、ＯＩＤ処理方式テーブルにおいて各ノードの処理方式を管理することを特徴とする請求項１に記載のゲートウェイ装置。
【請求項４】
前記ノード情報収集部は、
対応するＯＩＤが複数あるノードが存在する場合に、当該ノードについてＯＩＤごとに処理方式の情報を収集し、
前記ＯＩＤ処理方式テーブル管理部は、
前記ノード情報収集部によりＯＩＤごとに処理方式の情報が収集されたノードについて、ＯＩＤごとの処理方式をＯＩＤ処理方式テーブルにおいて管理することを特徴とする請求項３に記載のゲートウェイ装置。
【請求項５】
前記複数のノードは、ＳＮＭＰプロトコル以外の他のプロトコルに対応しており、
前記第１ネットワーク通信部は、
前記管理装置よりＳＮＭＰプロトコルによる管理要求を受信し、
前記ノード処理方式特定部は、
前記第１ネットワーク通信部が受信した管理要求に対してプロトコル変換を行い、管理要求が対象とするノードが対応するプロトコルによる管理要求を生成し、
前記第２ネットワーク通信部は、
前記ノード処理方式特定部によりプロトコル変換された後の管理要求を、特定ノードに対して送信することを特徴とする請求項１に記載のゲートウェイ装置。
【請求項６】
前記複数のノードは、ＳＮＭＰプロトコルに対応しており、
前記第１ネットワーク通信部は、
前記管理装置よりＳＮＭＰプロトコルによる管理要求を受信し、
前記ノード処理方式特定部は、
前記第１ネットワーク通信部が受信したＳＮＭＰプロトコルによる管理要求を、管理要求が対象とするノードに対して送信するよう第２ネットワーク通信部に指示することを特徴とする請求項１に記載のゲートウェイ装置。
【請求項７】
前記ゲートウェイ装置は、更に、
各ノードから、各ノードのノードアドレスの情報を収集するノード情報収集部を有し、
前記ＯＩＤ処理方式テーブル管理部は、
前記ノード情報収集部により収集されたノードアドレスの情報に基づいて、ＯＩＤ処理方式テーブルにおいて各ノードのノードアドレスを管理することを特徴とする請求項１に記載のゲートウェイ装置。
【請求項８】
前記ＯＩＤ処理方式テーブル管理部は、
所定の場合に、ＯＩＤ処理方式テーブルに示されたいずれかのノードの処理方式を変更することを特徴とする請求項１に記載のゲートウェイ装置。
【請求項９】
前記複数のノードのうちのいずれかのノードは、複数の処理方式に対応しており、
前記ＯＩＤ処理方式テーブル管理部は、
複数の処理方式に対応しているノードについて処理方式の選択の基準となる選択条件が示されたＯＩＤ処理方式テーブルを管理し、
前記ノード処理方式特定部は、
管理要求に含まれたＯＩＤとＯＩＤ処理方式テーブルに示されているＯＩＤを比較して管理要求が対象としているノードを特定するとともに、特定したノードが複数の処理方式に対応している場合に、ＯＩＤ処理方式テーブルに示された当該ノードについての処理方式の選択条件に従って複数の処理方式の中から特定の処理方式を選択することを特徴とする請求項１に記載のゲートウェイ装置。
【請求項１０】
前記複数のノードのうちのいずれかのノードは、対応するＯＩＤが複数存在し、更に、いずれかのＯＩＤに対して複数の処理方式が存在し、
前記ＯＩＤ処理方式テーブル管理部は、
対応するＯＩＤが複数存在し、更に、いずれかのＯＩＤに対して複数の処理方式が存在するノードについて、複数の処理方式が存在するＯＩＤごとに処理方式の選択の基準となる選択条件が示されたＯＩＤ処理方式テーブルを管理し、
前記ノード処理方式特定部は、
管理要求に含まれたＯＩＤとＯＩＤ処理方式テーブルに示されているＯＩＤを比較して管理要求が対象としているノードを特定するとともに、管理要求に含まれたＯＩＤに対して複数の処理方式が存在する場合に、ＯＩＤ処理方式テーブルに示された当該ＯＩＤについての処理方式の選択条件に従って複数の処理方式の中から特定の処理方式を選択することを特徴とする請求項１に記載のゲートウェイ装置。
【請求項１１】
前記ゲートウェイ装置は、更に、
前記複数のノードに対して、ネットワーク情報の収集が可能なノードを問合せ、いずれかのノードからネットワーク情報の収集が可能との応答を得た場合に、当該ノードを情報収集ノードとして指定し、いずれのノードからも応答が得られなかった場合に、ネットワーク情報の収集を行うノード情報収集部を有することを特徴とする請求項１に記載のゲートウェイ装置。
【請求項１２】
第１のネットワーク内に配置されＳＮＭＰ（Ｓｉｍｐｌｅ  Ｎｅｔｗｏｒｋ  Ｍａｎａｇｅｍｅｎｔ  Ｐｒｏｔｏｃｏｌ）プロトコルによるネットワーク管理を行う管理装置と、第２のネットワーク内に配置され前記管理装置によるネットワーク管理の対象となる複数のノードとの間の通信を中継する中継方法であって、
前記管理装置から、いずれかのノードに対応するＳＮＭＰプロトコルのＯＩＤ（Ｏｂｊｅｃｔ  Ｉｄｅｎｔｉｆｉｅｒ）が含まれた管理要求を受信する第１ネットワーク通信ステップと、
それぞれのノードに対応するＯＩＤとそれぞれのノードの処理方式とを示すＯＩＤ処理方式テーブルと、管理要求に含まれたＯＩＤとを比較し、管理要求が対象としているノードを特定するとともに、当該ノードの処理方式を特定するノード処理方式特定ステップと、
前記ノード処理方式特定ステップにより特定された特定ノード向けの管理要求を、前記ノード処理方式特定ステップにより特定された処理方式に従って、特定ノードに対して送信する第２ネットワーク通信ステップとを有することを特徴とする中継方法。
【請求項１３】
第１のネットワーク内に配置されＳＮＭＰ（Ｓｉｍｐｌｅ  Ｎｅｔｗｏｒｋ  Ｍａｎａｇｅｍｅｎｔ  Ｐｒｏｔｏｃｏｌ）プロトコルによるネットワーク管理を行う管理装置と、第２のネットワーク内に配置され前記管理装置によるネットワーク管理の対象となる複数のノードとの間の通信の中継をコンピュータに行わせるプログラムであって、
前記管理装置から、いずれかのノードに対応するＳＮＭＰプロトコルのＯＩＤ（Ｏｂｊｅｃｔ  Ｉｄｅｎｔｉｆｉｅｒ）が含まれた管理要求を受信する第１ネットワーク通信処理と、
それぞれのノードに対応するＯＩＤとそれぞれのノードの処理方式とを示すＯＩＤ処理方式テーブルと、管理要求に含まれたＯＩＤとを比較し、管理要求が対象としているノードを特定するとともに、当該ノードの処理方式を特定するノード処理方式特定処理と、
前記ノード処理方式特定処理により特定された特定ノード向けの管理要求を、前記ノード処理方式特定処理により特定された処理方式に従って、特定ノードに対して送信する第２ネットワーク通信処理とをコンピュータに実行させることを特徴とするプログラム。
【発明の詳細な説明】
【技術分野】
【０００１】
本発明は、例えば、ＴＣＰ／ＩＰネットワークと非ＴＣＰ／ＩＰネットワークという異なるネットワークプロトコルを有する複数のネットワークが接続されている構成における、ネットワーク管理に関する技術である。
【背景技術】
【０００２】
ＴＣＰ／ＩＰネットワークに置かれたネットワーク管理装置によって、非ＴＣＰ／ＩＰネットワークの管理を行う場合、このネットワーク管理装置は、ＴＣＰ／ＩＰによる標準のネットワーク管理プロトコルであるＳＮＭＰ（Ｓｉｍｐｌｅ  Ｎｅｔｗｏｒｋ  Ｍａｎａｇｅｍｅｎｔ  Ｐｒｏｔｏｃｏｌ）を用いる。そして、ＴＣＰ／ＩＰネットワークと非ＴＣＰ／ＩＰネットワークの接続には、ゲートウェイが設けられる。
【０００３】
従来このような構成では、特許文献１のように、このゲートウェイが、非ＴＣＰ／ＩＰネットワーク内のノードのノードアドレスとノードの識別子を関連付けるテーブルを持ち、テーブルを自動生成する手段を持っている。ノードの識別子には、ＳＮＭＰで規定されているコミュニティ名を利用している。また、ＴＣＰ／ＩＰネットワーク上の管理装置は、このテーブルをゲートウェイから収集し、記憶する手段と、オペレータの指示に基づき、対象となる非ＴＣＰ／ＩＰネットワーク内のノードの識別子を検索する手段と、識別子を付与したリクエストをゲートウェイに送信する手段を持っている。
【０００４】
これによりゲートウェイでは、ＳＮＭＰのコミュニティ名を利用した非ＴＣＰ／ＩＰネットワークのノード構成情報が自動的に作成されるため、ノードの追加や新たなネットワーク接続により構成が変更となっても、オペレータが構成情報を変更する必要がない。また、コミュニティ名を意識することも不要であった。
【０００５】
また、ＳＮＭＰを使用したネットワーク管理において、被管理対象の管理機能を実現するエージェントを、複数に分割するための方法が提案されている（例えば非特許文献１）。
【特許文献１】特開平７−７９２４６号公報
【非特許文献１】ＩＥＴＦ  ＲＦＣ２７４１，２０００年１月
【発明の開示】
【発明が解決しようとする課題】
【０００６】
従来の方法では、（１）ＳＮＭＰプロトコル処理、（２）管理装置からＳＮＭＰプロトコルで与えられた管理要求から、非ＴＣＰ／ＩＰネットワークが使用する管理プロトコルによる管理要求への変換、（３）非ＴＣＰ／ＩＰネットワークのノード識別子であるコミュニティ名とノードアドレスの対応付けに基づく管理要求の転送先決定など、全ての処理がゲートウェイに集中している。そのため、非ＴＣＰ／ＩＰネットワークの他のノードと比較して、ゲートウェイはより高い性能を持つ必要があった。
【０００７】
また、ＴＣＰ／ＩＰネットワークと非ＴＣＰ／ＩＰネットワークを接続する際、両ネットワークを仲介する専用のゲートウェイを設置するのではなく、非ＴＣＰ／ＩＰネットワークに配置されたノードがＴＣＰ／ＩＰ機能とゲートウェイ機能を持つことで、ゲートウェイの役割を果たすという構成がある。特に、非ＴＣＰ／ＩＰネットワークが、定時性通信機能を持つリング型ネットワークのような場合、前述のような負荷が集中する構成では、定時性通信へ悪影響を及ぼす恐れがある。また、非ＴＣＰ／ＩＰネットワークに配置されたノードが、ＴＣＰ／ＩＰネットワークのノードと比較して、処理性能が劣るような構成でも、ゲートウェイ機能を持つノードへの負荷の集中は、管理要求の応答性能に悪影響を及ぼす。
【０００８】
また、ネットワークプロトコルによって動的に決定されたノードが、ネットワークに関する情報を保持するような形態を持つリング型ネットワークもある。このような、リング型ネットワークを代表する役割を担うノードを、ここでは代表ノードと呼ぶ。代表ノードを持つようなネットワークでは、単なる文字列であるコミュニティ名をノードの識別子とし、ノードアドレスと固定的に対応付けるだけでは、代表ノードの役割を担うノードを表すことができないため、管理装置はネットワークに関する情報を取得することができない。
【０００９】
この発明は、上記のような問題点を解決することを主な目的としており、ＴＣＰ／ＩＰネットワークと非ＴＣＰ／ＩＰネットワークであるリング型ネットワークが接続された構成で、ＴＣＰ／ＩＰネットワークに置かれた管理装置から、ゲートウェイ機能を持つリング型ネットワークの１ノードを介し、ＳＮＭＰを用いてリング型ネットワークの管理を行う際、ゲートウェイノードへの負荷の集中を防ぎ、かつ動的に決定されるネットワーク情報保持ノードからのネットワーク情報取得を可能とすることを主な目的とする。
【課題を解決するための手段】
【００１０】
本発明に係るゲートウェイ装置は、
第１のネットワーク内に配置されＳＮＭＰ（Ｓｉｍｐｌｅ  Ｎｅｔｗｏｒｋ  Ｍａｎａｇｅｍｅｎｔ  Ｐｒｏｔｏｃｏｌ）プロトコルによるネットワーク管理を行う管理装置と、第２のネットワーク内に配置され前記管理装置によるネットワーク管理の対象となる複数のノードとの間の通信を中継するゲートウェイ装置であって、
ノードごとに、ＳＮＭＰプロトコルのＯＩＤ（Ｏｂｊｅｃｔ  Ｉｄｅｎｔｉｆｉｅｒ）のうちそれぞれのノードに対応するＯＩＤと、それぞれのノードの処理方式とを示すＯＩＤ処理方式テーブルを管理するＯＩＤ処理方式テーブル管理部と、
前記管理装置から、いずれかのノードに対応するＯＩＤが含まれた管理要求を受信する第１ネットワーク通信部と、
管理要求に含まれたＯＩＤとＯＩＤ処理方式テーブルに示されているＯＩＤを比較して管理要求が対象としているノードを特定するとともに、当該ノードの処理方式を特定するノード処理方式特定部と、
前記ノード処理方式特定部により特定された特定ノード向けの管理要求を、前記ノード処理方式特定部により特定された処理方式に従って、特定ノードに対して送信する第２ネットワーク通信部とを有することを特徴とする。
【発明の効果】
【００１１】
本発明によれば、ゲートウェイ装置においてノードのＯＩＤとそれぞれのノードの処理方式を管理するため、管理装置からの管理要求に含まれたＯＩＤに基づいて管理対象となるノードの特定および当該ノードの処理方式の特定処理を簡略化でき、ゲートウェイ装置への負荷の集中を防ぎ、ゲートウェイ装置の構成を簡素化することができる。
【発明を実施するための最良の形態】
【００１２】
実施の形態１．
図１はこの発明を適用するネットワークシステムの一例を示す構成図である。
【００１３】
図１において、管理装置１は、第１のネットワークであるＴＣＰ／ＩＰネットワーク４に接続されており、ＳＮＭＰプロトコルによってリング型ネットワークの管理を行う装置である。第２のネットワークであるリング型ネットワーク５は、非ＴＣＰ／ＩＰネットワークであり、ノード３ａ〜３ｃと、ゲートウェイ（以下ＧＷと記す）ノード（ゲートウェイ装置）２から構成されている。ＧＷノード２は、リング型ネットワークプロトコルとＴＣＰ／ＩＰネットワークプロトコルの２つのプロトコルスタックを備えている。
【００１４】
図２は、図１に示したＧＷノード２の構成とノード３の構成の一例を示す図である。
【００１５】
図２において、ＧＷノード２は、ＳＮＭＰプロトコル処理部２１、ＭＩＢ（Ｍａｎａｇｅｍｅｎｔ  Ｉｎｆｏｒｍａｔｉｏｎ  Ｂａｓｅ）管理部２２、管理要求処理部２３ａ、ノード情報収集部２４ａ、ノードアドレステーブル管理部２５、リングネットワーク管理プロトコル処理部２６ａ、通信部２７ａ、ＴＣＰ／ＩＰプロトコルスタック２７０ａ、リングネットワークプロトコルスタック２７１ａから構成される。
【００１６】
ＭＩＢ管理部２２では、ネットワーク情報と関連付けられたＯＩＤをその一部として含むようなＭＩＢが管理されている。
【００１７】
ノードアドレステーブル管理部２５は、ノードアドレステーブルを管理する。ノードアドレステーブルは、後に詳述するように、各ノードと、各ノードに対応するＭＩＢにおけるＯＩＤ（Ｏｂｅｊｅｃｔ  Ｉｄｅｎｔｉｆｉｅｒ）と、各ノードの処理方式を示す。ノードアドレステーブルは、ＯＩＤ処理方式テーブルに相当し、ノードアドレステーブル管理部２５はＯＩＤ処理方式テーブル管理部に相当する。ここで、処理方式とは、各ノードへの管理要求の渡し方を意味する。
【００１８】
管理要求処理部２３ａは、管理装置１から管理要求があった場合に、管理要求が対象とするノードを特定するとともに、特定したノードの処理方式を特定する。管理要求処理部２３ａは、ノード処理方式特定部に相当する。
【００１９】
通信部２７ａは、第１のネットワークであるＴＣＰ／ＩＰネットワーク４と通信を行うためのＴＣＰ／ＩＰプロトコルスタック２７０ａと、第２のネットワークであるリング型ネットワーク５と通信を行うためのリングネットワークプロトコルスタック２７１ａを有する。通信部２７ａは、第１ネットワーク通信部及び第２ネットワーク通信部に相当する。
ノード３ａは、管理要求処理部２３ｂ、ノード情報収集部２４ｂ、リングネットワーク管理プロトコル処理部２６ｂ、通信部２７ｂ、リングネットワークプロトコルスタック２７１ｂから構成される。
【００２０】
図３は、図２に示したノードアドレステーブル管理部２５で管理されるノードアドレステーブルの一例を示す図である。
【００２１】
図３において、ノードアドレステーブルは、配置３１と、ノードアドレス３２と、ＯＩＤ３３、処理方式３４を項目として備えている。配置３１は、各ノードがＧＷノード２から数えて何番目の位置に配置されているかを表す。ノードアドレス３２は、リング型ネットワーク５のデータリンクで使用されているノードのアドレスである。ＯＩＤ３３は、ＭＩＢのＯＩＤのうち、ノードが関与するＯＩＤの一覧である。複数のＯＩＤを記述するようなＭＩＢを使用する際には、直接ＯＩＤを記述するのではなく、別に作成したＯＩＤテーブルへのリンクを記述するという形式をとっても良い。処理方式３４は、各ノードへの管理要求の渡し方である。図３では、ノード一つに対して一つの処理方式を記述している。
【００２２】
図４は、別のノードアドレステーブルの例を示す。図４の例では、ＯＩＤが複数存在する場合には、ＯＩＤごとに処理方式を指定することが可能である。このため、図４の例では、ＯＩＤごとに処理方式を指定することにより、ノード一つに対して複数の処理方式を指定することができる。
【００２３】
次に、図５と図６を用いて、本実施の形態に係るＧＷノード２の動作を概説する。
【００２４】
本実施の形態に係るＧＷノード２の動作は、準備動作と管理要求処理動作に大別することができ、図５は準備動作を示すフローチャートであり、図６は管理要求処理動作を示すフローチャートである。
【００２５】
先ず、図５を参照して準備動作を概説する。
【００２６】
最初に、ＧＷノード２では、通信部２７ａのリングネットワークプロトコルスタック２７１ａにより各ノードとのデータリンクを確立すると（Ｓ１０１）、ノード情報収集部２４ａは、リングネットワークプロトコルスタック２７１ａから、リング型ネットワーク５に接続されている全てのノードのノードアドレスを取得し（Ｓ１０２）、ノードアドレステーブルに配置３１とノードアドレス３２を記入する（Ｓ１０３）。
【００２７】
次に、管理要求処理部２３ａが、ＭＩＢ管理部２２へＭＩＢを問合せ、各ノードについてノードアドレスとＯＩＤの対応付けを行い（Ｓ１０４）、各ノードのＯＩＤをノードアドレステーブルのＯＩＤ３３へ記入する（Ｓ１０５）。
【００２８】
次に、ノード情報収集部２４ａが通信部２７ａを介して各ノードに対して処理方式を問合せ（Ｓ１０６）、問合せに対する応答に基づき、ノードアドレステーブルに処理方式３４を記入する（Ｓ１０７）。
【００２９】
また、図４に示すように、複数のＯＩＤについてＯＩＤごとに異なる処理方式を設定する場合は、ステップＳ１０６において、ＯＩＤごとの処理方式の情報をノードより収集し、ステップＳ１０７において、ＯＩＤごとの処理方式をノードアドレステーブルに記入する。
【００３０】
次に、図６を参照して管理要求処理動作を概説する。
【００３１】
最初に、通信部２７ａがＴＣＰ／ＩＰプロトコルスタック２７０ａにより管理装置１からの管理要求を受信する（Ｓ２０１、第１ネットワーク通信ステップ）。この管理要求は、ＯＩＤが含まれていて、管理要求の対象となるノードをＯＩＤにより特定している。
【００３２】
次に、管理要求処理部２３ａが、管理要求に含まれているＯＩＤとノードアドレステーブルのＯＩＤを比較し、ＯＩＤが一致するノードのノードアドレス、処理方式を抽出する（Ｓ２０２、ノード処理方式特定ステップ）。
【００３３】
次に、ＳＮＭＰプロトコル処理部２１が、管理要求をリング型ネットワーク５に対応するプロトコルに変換（Ｓ２０３）する。
【００３４】
次に、通信部２７ａが、ステップＳ２０２において特定されたノードに対して、特定された処理方式に従い、プロトコル変換後の管理要求を送信する（Ｓ２０４、第２ネットワーク通信ステップ）。
【００３５】
次に、通信部２７ａが、ノードからの応答を受信し（Ｓ２０５）、ＳＮＭＰプロトコル処理部２１がノードからの応答をＳＮＭＰメッセージ化する（Ｓ２０６）。
【００３６】
最後に、通信部２７ａがＳＮＭＰメッセージ化した応答を管理装置に送信する（Ｓ２０７）。
【００３７】
次に、図７を用いて、管理可能状態に至るまでの準備動作の流れを説明する。
【００３８】
リングネットワークプロトコルスタック２７１ａ、２７１ｂによって、リング型ネットワーク５のデータリンクが確立すると（４１）、ＧＷノード２のノード情報収集部２４ａは、リングネットワークプロトコルスタック２７１ａから、リング型ネットワーク５に接続されている全てのノードのノードアドレスを受取り（４２）、ノードアドレステーブルへ配置３１とノードアドレス３２を記入する。
【００３９】
ノード情報収集部２４ａは、リングネットワークプロトコルスタック２７１ａから、ネットワーク情報を把握しているリングネットワークの代表ノードのノードアドレスを受取り（４３）、他のノードアドレスと合わせ、全ノードのノードアドレスを管理要求処理部２３ａへ渡す（４４）。管理要求処理部２３ａは、ＭＩＢ管理部２２へＭＩＢを問合せ、ノードアドレスとＯＩＤの対応付けを行い、各ノードに対応するＯＩＤをノードアドレステーブルのＯＩＤ３３へ記入する（４５）。
【００４０】
ＧＷノード２のノード情報収集部２４ａは、各ノードのノード情報収集部２４ｂに対し、管理要求の渡し方を問合せ（４６）、ノードからの応答にしたがって、ノードアドレステーブルの処理方式３４を記入する。
【００４１】
次に、図８を用いて、管理要求処理動作の流れを説明する。
【００４２】
管理装置１から、ＳＮＭＰによって管理要求がＧＷノード２に送られる（５０１ａ）。ＧＷノード２では、ＳＮＭＰプロトコル処理部２１でＳＮＭＰメッセージを処理し、管理対象となるＯＩＤとオペレーションを取り出す。取り出されたＯＩＤとオペレーションは管理要求処理部２３ａに送られる（５０２ａ）。管理要求処理部２３ａでは、ＯＩＤと対応するノードアドレスと処理方式をノードアドレステーブルから取り出す。
【００４３】
ここでは、処理方式として、リングネットワーク管理プロトコルの使用が指定されていたとする。管理要求処理部２３ａは、ＳＮＭＰプロトコル処理部２１から受取ったオペレーションに相当する管理要求と要求先となるノードアドレスを、ＧＷノード２のリングネットワーク管理プロトコル処理部２６ａに与える（５０３）。ＧＷノード２のリングネットワーク管理プロトコル処理部２６ａは、指定されたノードにリングネットワーク管理プロトコルを使用して管理要求を与え、結果を受信する（５０４）。ＧＷノード２のリングネットワーク管理プロトコル処理部２６ａは、受信した結果を管理要求処理部に与える（５０５）。管理要求処理部２３ａは、ＳＮＭＰプロトコル処理部２１へ結果を渡し（５０６ａ）、管理装置１へ結果が送信される（５０７ａ）。
【００４４】
一方、管理要求の対象となるノード処理方式として、エンド・ツー・エンドでの通信がノードアドレステーブルに指定されていたとする。この場合、処理５０１ｂ及び５０２ｂは、前述した５０１ａ及び５０２ｂと同様である（５０１ｂ）（５０２ｂ）。管理要求処理部２３ａは、ＳＮＭＰプロトコル処理部２１から受取ったオペレーションに相当する管理要求を元に、管理要求の伝文を作成し、要求先となるノードの管理要求処理部２３ｂに送信する（５０８）。要求先ノード３ａの管理要求処理部２３ｂは、管理要求伝文を受信し、伝文に基づく管理動作を実行し、結果をＧＷノード２の管理要求処理部２３ａに返送する（５０９）。ＧＷノード２の管理要求処理部２３ａは、受信した結果をＳＮＭＰプロトコル処理部２１へ結果を渡し（５０６ｂ）、管理装置１へ結果が送信される（５０７ｂ）。
【００４５】
このように、本実施の形態は、ネットワークに置かれた管理装置とそのネットワークとは異なるリング型ネットワークがあり、リング型ネットワークを構成するノードの一つが管理装置の置かれたネットワークとのゲートウェイの役目を果たしているような構成において、管理装置がリング型ネットワークをＳＮＭＰで管理する際、ゲートウェイ役のノードが、
（ａ）ノードの配置、ノードアドレス、ＯＩＤ、処理方式を蓄積する手段
（ｂ）ＳＮＭＰプロトコルの処理を行う手段
（ｃ）リングネットワークを構成する全ノードのノードアドレスを取得する手段
（ｄ）リングネットワークのネットワーク情報を管理するノードを知る手段
（ｅ）リングネットワークを構成するノードにおける処理方式を知る手段
（ｆ）処理方式に従って、リングネットワークのノードと通信する手段
（ｇ）ＯＩＤとリングネットワークのノードを関連付ける手段
を備え、ゲートウェイ以外のノードが、ノードの処理方式をゲートウェイノードに伝える手段を備えることを特徴としている。
【００４６】
なお、以上では、第２のネットワークである非ＴＣＰ／ＩＰネットワークが、リング型ネットワークである例を説明したが、非ＴＣＰ／ＩＰネットワークはリング型ネットワーク以外のネットワークであってもよい。
【００４７】
以上のように、本実施の形態によれば、ＧＷノードにおいてノードのＯＩＤとそれぞれのノードの処理方式を管理するため、管理装置からの管理要求に含まれたＯＩＤに基づいて管理対象となるノードの特定および当該ノードの処理方式の特定処理を簡略化でき、ＧＷノードへの負荷の集中を防ぎ、ＧＷノードの構成を簡素化することができる。
【００４８】
また、ＧＷノードとＧＷノード以外のノードが構成され、動作することにより、ネットワークを代表するノードに蓄積されたネットワーク情報を取得することができる。
【００４９】
また、リングネットワークのノードの特質に応じてＧＷノードとノード間の処理方式を変更する（ノードごとに個別の処理方式を行う）ことで、ＧＷノードが担う処理をノードにて行い、ＧＷノードの負荷を低減することができる。
【００５０】
また、ＯＩＤごとに処理方式を設定する場合には、ＯＩＤに対応するそれぞれの処理内容に応じて最適な処理方式を選択することができる。
【００５１】
また、リングネットワークの管理プロトコルでは実現されていない管理機能を実行することができる。
【００５２】
実施の形態２．
以上の実施の形態１では、ＳＮＭＰメッセージの処理はＧＷノード２で行うようにしたものであるが、次にリング型ネットワーク５のＧＷノード２以外のノード３ａ、３ｂ、３ｃがＳＮＭＰプロトコル処理部を持つような場合の実施の形態を示す。
【００５３】
図９は、このような場合のＧＷノード２の構成とノードの構成の一例を示す図である。
【００５４】
図９において、ＧＷノード２はＯＩＤ解析部を持ち、ノード３ａは、ＳＮＭＰプロトコル処理部２１ｂを持つ。その他の構成は、実施の形態１と同様である。
【００５５】
次に、図１０によって、管理要求処理動作について説明する。
【００５６】
管理装置１から、ＳＮＭＰメッセージがＧＷノード２に送られる（７０１）。ＧＷノード２のＯＩＤ解析部２８は、受取ったＳＮＭＰメッセージから管理対象となるＯＩＤを取り出し、ＳＮＭＰメッセージと共に、管理要求処理部２３ａに与える（７０２）。管理要求処理部２３ａは、受取ったＯＩＤに対応するノードアドレスと処理方式をノードアドレステーブルから取り出す。
【００５７】
取り出した処理方式がＳＮＭＰメッセージの使用を指定している場合、管理要求処理部２３ａは、通信部２７ａに対してＳＮＭＰメッセージをそのまま送信するよう指示し、通信部２７ａは、対象ノード３ａの通信部２７ｂを介して管理要求処理部２３ｂにＳＮＭＰメッセージを送信する（７０３）。ＳＮＭＰメッセージを受取った管理要求処理部２３ｂは、ＳＮＭＰプロトコル処理部２１ｂにＳＮＭＰメッセージを渡し、ＯＩＤと管理要求を受取る（７０４）。受取ったＯＩＤと管理要求に従って、管理動作を実行し、結果をＳＮＭＰプロトコル処理部２１ｂに渡す。ＳＮＭＰプロトコル処理部２１ｂは、結果をＳＮＭＰメッセージに変換し、管理要求処理部２３ｂに返す（７０５）。管理要求処理部２３ｂは、ＧＷノード２の管理要求処理部２３ａにＳＮＭＰメッセージを返送する（７０６）。ＧＷノード２の管理要求処理部２３ａは、受取ったＳＮＭＰメッセージを管理装置１へ返送する（７０７）。
【００５８】
取り出した処理方式が、実施の形態１の場合のようにリングネットワーク管理プロトコルの使用などＳＮＭＰメッセージの使用以外が指定されている場合、管理要求処理部２３ａは、ＳＮＭＰメッセージをＳＮＭＰプロトコル処理部２１に渡し、ＯＩＤと管理要求を受取る。受取った後の動作は、実施の形態１と同様である。
【００５９】
このように、本実施の形態では、ゲートウェイノードが、ＳＮＭＰメッセージからＯＩＤを取得する手段を備え、ゲートウェイノード以外のノードが、ＳＮＭＰプロトコルの処理を行う手段を備えたことを特徴とする。
【００６０】
以上のように、本実施の形態によれば、ＳＮＭＰメッセージの処理をＧＷノード以外のノードで実行するようにしているので、ＧＷノード以外のノードの処理能力を有効に活用し、ＧＷノードの処理がさらに低減できる。
【００６１】
実施の形態３．
実施の形態１と実施の形態２では、ノードアドレステーブル作成の際、ノードアドレスについてＧＷノードのノード情報収集部がＧＷノード内のリングネットワークプロトコルスタックに問合せるようにしていたが、ここでは、ＧＷノードのノード情報収集部が他のノードのノード情報収集部に問合せるようにした実施の形態を示す。
【００６２】
構成は実施の形態１と実施の形態２の場合と同様である。
【００６３】
図１１を用いて、本実施の形態に係る準備動作について説明する。
【００６４】
リング型ネットワーク５のデータリンクが確立すると、ＧＷノード２のノード情報収集部２４ａは、リング型ネットワーク５内の他のノード３ａ、３ｂ、３ｃへ、ノードアドレス要求をブロードキャストする（８０１）。ノードアドレス要求を受取ったノード３ａ、３ｂ、３ｃのノード情報収集部２４ｂ、２４ｃ、２４ｄは、応答の際、自ノードがリングネットワークの代表ノードであれば、代表ノードであることも同時に示す（８０２）。応答を受けたＧＷノード２のノード情報収集部２４ａは、ノードアドレステーブルへ配置３１とノードアドレス３２を記入する。
【００６５】
ノード情報収集部２４ａは、ノードアドレス情報を管理要求処理部２３ａへ渡す（８０３）。管理要求処理部２３ａは、ＭＩＢ管理部２２へＭＩＢを問合せ、ノードアドレスとＯＩＤの対応付けを行い、各ノードに対応するＯＩＤをノードアドレステーブルのＯＩＤ３３へ記入する（８０４）。
【００６６】
ＧＷノード２のノード情報収集部２４ａは、各ノードのノード情報収集部２４ｂ、２４ｃ、２４ｄに対し、管理要求の渡し方を問合せ（８０５）、ノードからの応答にしたがって、ノードアドレステーブルの処理方式３４を記入する。
【００６７】
このように、本実施の形態では、ゲートウェイノードが、他のノードに対してノードアドレスを問合せる手段を備えていることを特徴としている。
【００６８】
以上のように動作することによって、本実施の形態によれば、ＧＷノードのリングネットワークプロトコルスタックが、他のノードの配置とノードアドレスを収集しないようなリングネットワークプロトコルを使用する場合にも、実施の形態１と同様の効果を得られる。
【００６９】
実施の形態４．
実施の形態１に示した方式において、各ノードが検知した障害や負荷の変化によって、ＧＷノードとノード間の処理方式を変更できるようにした実施の形態を示す。
【００７０】
構成は、実施の形態１と同様である。
【００７１】
図２によって、動作を説明する。
【００７２】
ここでは、障害の発生や負荷の変化が生じたため、処理方式を変更する必要が発生したノードをノード３ａとする。ノード３ａのノード情報収集部２４ｂは、ＧＷノード２のノード情報収集部２４ａに対し、新たに使用する処理方式と対応するＯＩＤを送付する。ＧＷノード２のノード情報収集部２４ａは、受取った処理方式とＯＩＤを元に、ノードアドレステーブルを更新する。
【００７３】
ＧＷノード２では、管理装置１から管理要求が届いた場合、更新されたノードアドレステーブルを元に、処理方式を決定し、決定した処理方式でノード３ａと通信する。
【００７４】
このように、本実施の形態では、ゲートウェイ以外のノードが、ノードの状態に応じて新たに使用する処理方式とＯＩＤをゲートウェイノードに通知する手段を備えていることを特徴とする。
【００７５】
以上のように動作することによって、本実施の形態によれば、稼動中のノードの状態に応じて適切に処理方式を選択できるため、ＧＷノードとノード間で処理負荷を分担できる。
【００７６】
実施の形態５．
実施の形態２において、各ノードが検知した障害や負荷の変化によって、ＧＷノードとノード間の処理方式を変更できるようにした実施の形態を示す。
【００７７】
構成は、実施の形態２と同様である。
【００７８】
動作は、実施の形態４と同様であるので、説明を省略する。
【００７９】
このように、本実施の形態では、ゲートウェイ以外のノードがノードの状態に応じて新たに使用する処理方式とＯＩＤをゲートウェイノードに通知する手段を備えていることを特徴とする。
【００８０】
以上のように動作することによって、本実施の形態では、稼動中のノードの状態に応じて適切に処理方式を選択できるため、ＧＷノードとノード間で処理負荷を分担できる。
【００８１】
実施の形態６．
実施の形態１に示した方式において、ＧＷノードが検知したネットワーク状態の変化によって、ＧＷノードとノード間の処理方式を変更できるようにした実施の形態を示す。
【００８２】
図１２は、本実施の形態におけるノードアドレステーブルの一例である。条件９１に応じて、処理方式９２を定めることができるようになっている。例えば、条件９１が「ネットワークが正常に動作」は、処理方式９２は「エンド・ツー・エンドでの通信」、条件９１が「ネットワークがループバック動作」は、処理方式９２は「リングネットワーク管理プロトコルの使用」と記述する。
【００８３】
また、図１３に示すノードアドレステーブルように、複数のＯＩＤが存在し、ＯＩＤごとに処理方式が指定されている場合に、ＯＩＤごとに条件９１を定めるようにしてもよい。
【００８４】
ＧＷノードの構成自体は、実施の形態１と同様である。
【００８５】
図７、図８と図１２によって、動作を説明する。
【００８６】
管理可能状態に至るまでの準備動作において、ＧＷノード２のノード情報収集部２４ａが処理方式の問合せを行う（４６）までは、実施の形態１と同様に動作する。処理方式の問合せでは、処理方式とその処理方式選択の基準となる条件を問合せる（４６）。問合せた結果を元に、ノードアドレステーブルの条件９１と処理方式９２を記入する。
【００８７】
管理要求処理動作において、ＧＷノード２の管理要求処理部２３ａは、ＯＩＤとオペレーションを受取ると（５０２ａ）、ＯＩＤと対応するノードアドレスと、その時のネットワーク状態に一致する内容が条件９１に記載された処理方式をノードアドレステーブルから取り出す。それ以外の動作については、実施の形態１と同様である。
【００８８】
このように、本実施の形態は、ゲートウェイノードが、リングネットワークを構成するノードにおける処理方式とその処理方式を適用する条件を知る手段と、条件に従って、処理方式を決定し、リングネットワークのノードと通信する手段とを有することを特徴としている。
【００８９】
以上のように動作することによって、本実施の形態では、ＧＷノードで検知した状態に応じて適切に処理方式を選択できるため、ＧＷノードとノード間で処理負荷を分担できる。
【００９０】
実施の形態７．
実施の形態２に示す方式において、ＧＷノードが検知したネットワーク状態の変化によって、ＧＷノードとノード間の処理方式を変更できるようにした実施の形態を示す。
【００９１】
構成は、図１２又は図１３のノードアドレステーブルを使用する以外は、実施の形態２と同様である。
【００９２】
図１０によって、動作を説明する。
【００９３】
管理可能状態に至るまでの準備動作は、実施の形態６と同様である。
【００９４】
管理要求処理動作において、ＧＷノード２の管理要求処理部２３ａは、ＯＩＤとＳＮＭＰメッセージを受取ると（７０２）、ＯＩＤと対応するノードアドレスと、その時のネットワーク状態に一致する内容が条件９１に記載された処理方式をノードアドレステーブルから取り出す。それ以外の動作は、実施の形態２と同様である。
【００９５】
このように、本実施の形態は、ゲートウェイノードが、リングネットワークを構成するノードにおける処理方式とその処理方式を適用する条件を知る手段と、条件に従って、処理方式を決定し、リングネットワークのノードと通信する手段とを有することを特徴としている。
【００９６】
以上のように動作することによって、ＧＷノードで検知した状態に応じて適切に処理方式を選択できるため、ＧＷノードとノード間で処理負荷を分担できる。
【００９７】
実施の形態８．
実施の形態１に示す方式において、ネットワーク情報を把握している代表ノードがリングネットワークに存在しない場合に、ノード情報収集部がネットワーク情報を収集するようにした実施の形態を示す。
【００９８】
ＧＷノード２及びノード３の構成は、実施の形態１と同様である。
【００９９】
次に、図１４によって、管理可能状態に至るまでの準備動作について説明する。
【０１００】
リング型ネットワーク５のデータリンクが確立すると、ＧＷノード２のノード情報収集部２４ａは、リングネットワークプロトコルスタック２７ａから、リング型ネットワーク５に接続されている全てのノードのノードアドレスを受取り（１００１）、ノードアドレステーブルへ配置３１とノードアドレス３２を記入する。
【０１０１】
ノード情報収集部２４ａは、リングネットワークプロトコルスタック２７ａへ、リングネットワークの代表ノードのノードアドレスを問合せ（１００２）、代表ノードが存在しないとわかると、ネットワーク情報収集を担当できるノードをブロードキャストで問合せ、担当可能ノードからの応答を得る（１００３）。応答を得られなかった場合には、ＧＷノード２のノード情報収集部が、ネットワーク情報収集を行う。また、ノードアドレステーブルのノードアドレスに、ネットワーク情報収集を担当するノード情報収集部を持つノードのアドレスを記入する。全ノードのノードアドレスと合わせ、ネットワーク情報収集を担当するノード情報収集部を持つノードのアドレスを管理要求処理部２３ａへ渡す（１００４）。管理要求処理部２３ａは、ＭＩＢ管理部２２へＭＩＢを問合せ、ノードアドレスとＯＩＤの対応付けを行い、各ノードに対応するＯＩＤをノードアドレステーブルのＯＩＤ３３へ記入する（１００５）。
【０１０２】
ＧＷノード２のノード情報収集部２４ａは、各ノードのノード情報収集部２４ｂに対し、管理要求の渡し方を問合せ（１００６）、ノードからの応答にしたがって、ノードアドレステーブルの処理方式３４を記入する。
【０１０３】
管理要求処理動作は、実施の形態１と同様である。
【０１０４】
このように、本実施の形態は、ゲートウェイノードが、他のノードに対してリングネットワークのネットワーク情報を管理するノードを問合せる手段を備えていることを特徴とする。
【０１０５】
以上のように動作することによって、ネットワーク情報を把握している代表ノードがリングネットワークに存在しない場合でも、ネットワーク情報を収集することができる。
【０１０６】
実施の形態９．
実施の形態２に示す方式において、ネットワーク情報を把握している代表ノードがリングネットワークに存在しない場合に、ノード情報収集部がネットワーク情報を収集するようにした実施の形態を示す。
【０１０７】
ＧＷノード２及びノード３の構成は、実施の形態２と同様である。
【０１０８】
管理可能状態に至るまでの準備動作は、実施の形態８と同様であるため、説明を省略する。
【０１０９】
また、管理要求処理動作は、実施の形態２と同様であるため、説明を省略する。
【０１１０】
このように、本実施の形態は、ゲートウェイノードが、他のノードに対してリングネットワークのネットワーク情報を管理するノードを問合せる手段を備えていることを特徴とする。
【０１１１】
以上のように動作することによって、ネットワーク情報を把握している代表ノードがリングネットワークに存在しない場合でも、ネットワーク情報を収集することができる。
【０１１２】
なお、前述した各実施の形態で、ＧＷノード２、ノード３は、コンピュータで実現できるものである。
【０１１３】
図示していないが、ＧＷノード２、ノード３は、プログラムを実行するＣＰＵ（Ｃｅｎｔｒａｌ  Ｐｒｏｃｅｓｓｉｎｇ  Ｕｎｉｔ）を備えている。
【０１１４】
例えば、ＣＰＵは、バスを介して、ＲＯＭ（Ｒｅａｄ  Ｏｎｌｙ  Ｍｅｍｏｒｙ）、ＲＡＭ（Ｒａｎｄｏｍ  Ａｃｃｅｓｓ  Ｍｅｍｏｒｙ）、フラッシュメモリ、通信ボード、表示装置、Ｋ／Ｂ（キーボード）、マウス、ＦＤＤ（Ｆｌｅｘｉｂｌｅ  Ｄｉｓｋ  Ｄｒｉｖｅ）、ＣＤＤ（コンパクトディスクドライブ）、磁気ディスク装置、光ディスク装置、プリンタ装置、スキャナ装置等と接続可能である。
【０１１５】
ＲＡＭは、揮発性メモリの一例である。ＲＯＭ、フラッシュメモリ、ＦＤＤ、ＣＤＤ、磁気ディスク装置、光ディスク装置は、不揮発性メモリの一例である。これらは、記憶装置あるいは記憶部の一例である。
【０１１６】
前述した各実施の形態のＧＷノード２、ノード３が扱うデータや情報は、記憶装置あるいは記憶部に保存され、ＧＷノード２、ノード３の各部により、記録され読み出されるものである。
【０１１７】
磁気ディスク装置には、オペレーティングシステム（ＯＳ）、ウィンドウシステム、プログラム群、ファイル群（データベース）が記憶されている。
【０１１８】
プログラム群は、ＣＰＵ、ＯＳ、ウィンドウシステムなどにより実行される。
【０１１９】
上記ＧＷノード２、ノード３の各部は、一部或いはすべてコンピュータで動作可能なプログラムにより構成しても構わない。或いは、ＲＯＭに記憶されたファームウェアで実現されていても構わない。或いは、ソフトウェア或いは、ハードウェア或いは、ソフトウェアとハードウェアとファームウェアとの組み合わせで実施されても構わない。
【０１２０】
上記プログラム群には、実施の形態の説明において「〜部」として説明した処理をＣＰＵに実行させるプログラムが記憶される。これらのプログラムは、例えば、Ｃ言語などのコンピュータ言語により作成される。
【０１２１】
また、上記プログラムは、磁気ディスク装置、ＦＤ（Ｆｌｅｘｉｂｌｅ  Ｄｉｓｋ）、光ディスク、ＣＤ（コンパクトディスク）、ＭＤ（ミニディスク）、ＤＶＤ（Ｄｉｇｉｔａｌ  Ｖｅｒｓａｔｉｌｅ  Ｄｉｓｋ）等のその他の記録媒体に記憶され、ＣＰＵにより読み出され実行される。
【図面の簡単な説明】
【０１２２】
【図１】実施の形態１〜９に係るネットワーク構成例を示す図。
【図２】実施の形態１に係るＧＷノード及びノードの構成例を示す図。
【図３】実施の形態１に係るノードアドレステーブルの例を示す図。
【図４】実施の形態１に係るノードアドレステーブルの例を示す図。
【図５】実施の形態１に係る準備動作の例を示すフローチャート図。
【図６】実施の形態１に係る管理要求処理動作の例を示すフローチャート図。
【図７】実施の形態１に係る準備動作の例を示す図。
【図８】実施の形態１に係る管理要求処理動作の例を示す図。
【図９】実施の形態２に係るＧＷノード及びノードの構成例を示す図。
【図１０】実施の形態２に係る管理要求処理動作の例を示すフローチャート図。
【図１１】実施の形態３に係る準備動作の例を示す図。
【図１２】実施の形態６に係るノードアドレステーブルの例を示す図。
【図１３】実施の形態６に係るノードアドレステーブルの例を示す図。
【図１４】実施の形態８に係る準備動作の例を示す図。
【符号の説明】
【０１２３】
１  管理装置、２  ゲートウェイノード、３  ノード、４  ネットワーク、５  リング型ネットワーク、２１  ＳＮＭＰプロトコル処理部、２２  ＭＩＢ管理部、２３  管理要求処理部、２４  ノード情報収集部、２５  ノードアドレステーブル管理部、２６  リングネットワーク管理プロトコル処理部、２７  通信部、２８  ＯＩＤ解析部、２７０  ＴＣＰ／ＩＰプロトコルスタック、２７１  リングネットワークプロトコルスタック。
【図１】
2007006291.tif 000003
【図２】
2007006291.tif 000004
【図３】
2007006291.tif 000005
【図４】
2007006291.tif 000006
【図５】
2007006291.tif 000007
【図６】
2007006291.tif 000008
【図７】
2007006291.tif 000009
【図８】
2007006291.tif 000010
【図９】
2007006291.tif 000011
【図１０】
2007006291.tif 000012
【図１１】
2007006291.tif 000013
【図１２】
2007006291.tif 000014
【図１３】
2007006291.tif 000015
【図１４】
2007006291.tif 000016